(57)【要約】【課題】比較的簡単且つ安価な構成でありながら、幼児・要介護者等に着せるのが容易である上に、食事等の際に汚れ易い部分を着脱可能に容易に交換できるパターン洋服を提供する。【解決手段】首回りから腹部に亘る開口部を含む洋服本体と、前記洋服本体とは別体に形成され、前記開口部の少なくとも主要部分を覆う大きさの取替え部と、前記洋服本体の前記開口部の少なくとも主要部分を前記取替え部が覆うように留め付ける着脱手段と、を有するパターン洋服を構成する。【選択図】  図１
2020186505.tif 000002
【特許請求の範囲】
【請求項１】
首回りから腹部又は足首に亘る開口部を含む洋服本体と、前記洋服本体とは別体に形成され、前記開口部の少なくとも主要部分を覆う大きさの取替え部と、前記洋服本体の前記開口部の少なくとも主要部分を前記取替え部が覆うように留め付ける着脱手段と、を有することを特徴とするパターン洋服。
【請求項２】
前記取替え部が複数枚重ねて前記洋服本体に留め付けられ、一枚ずつ取り外し可能に構成されていることを特徴とする請求項１記載のパターン洋服。
【請求項３】
前記着脱手段は、前記洋服本体の前記開口部の周縁部に前記取替え部の裏面を留め付けるファスナー、ホック、ボタン、組み紐、マジックテープ（登録商標）、磁石、ミシン糸等からなる着脱具から選択される少なくとも１つであることを特徴とする請求項１又は２に記載のパターン洋服。
【請求項４】
前記取替え部が折り畳み可能に構成されていることを特徴とする請求項１乃至３の何れか１項に記載のパターン洋服。
【請求項５】
前記折り畳み可能な取替え部を展開すると、形状・模様・色彩又はこれらの結合から成るデザインが表現されることを特徴とする請求項４に記載のパターン洋服。
【請求項６】
前記取替え部は、少なくとも３枚含まれ、該３枚はそれぞれ相異なる第１、第２及び第３の色に着色されており、当該パターン洋服の装着者の属性に応じて、前記第１、第２又は第３の色の取替え部が使い分けられることを特徴とする請求項１乃至４の何れか一項に記載のパターン洋服。
【請求項７】
請求項１乃至６の何れか一項に記載のパターン洋服において、前記着脱手段がワンタッチロック機能を有することを特徴とするパターン洋服。
【請求項８】
請求項１乃至７の何れか一項に記載のパターン洋服において、前記取替え部に加え、更に、該パターン洋服を装着する者（幼児・高齢者・要介護者・病人）の属性又は健康状態等に対応した機能取替え部を有し、該機能取替え部は、当該機能取替え部固有の着脱手段を備えることを特徴とするパターン洋服。
【請求項９】
請求項１乃至８の何れか一項に記載のパターン洋服において、前記取替え部に加え、更に、該パターン洋服を装着する者（幼児・高齢者・要介護者・病人）の属性又は健康状態等に対応した機能取替え部を有し、該機能取替え部は、当該機能取替え部固有の展開手段を備えることを特徴とするパターン洋服。
【発明の詳細な説明】
【技術分野】
【０００１】
本発明は、パターン洋服に関し、特に、幼児・要介護者等に着せるのが容易である上に、汚れ易い部分を着脱可能に交換することができるパターン洋服に関する。
【背景技術】
【０００２】
例えば、保育園・幼稚園等において、幼児は、胸かけ（エプロン）を着けた状態で食事をすることが多いが、頻繁に汚すことから、胸かけ（エプロン）が複数枚必要になることが多い。また、そもそも幼児が服の着替えやエプロンの交換を嫌がることも度々であり、保育士や幼稚園の先生の負担が大きかった。更に、我が国において高齢化の急速な進展から、老人介護施設等における食事等の介護の需要が増大しているが、痴呆症等を伴う要介護者では、幼児と同様かそれ以上に食事等の世話が大変である。一方、従来、パターン洋服に関し、交換可能な胸かけ（エプロン）等の提案がなされ、或いは実用化されている（特許文献１、２及び３参照）が、上記のような幼児の保育や高齢者の介護等の観点から、十分な創意工夫のなされた提案は殆どなされていないのが実情である。
【先行技術文献】
【特許文献】
【０００３】
【特許文献１】特許第３１７２８４５号公報
【特許文献２】特許第３１３８９８２号公報
【特許文献３】特許第３１５７９０５号公報
【発明の概要】
【発明が解決しようとする課題】
【０００４】
例えば、特許文献１記載のエプロンは、前身頃部分と胸当て部分とを面ファスナーにより接続することにより、胸当て部分を前身頃部分から取り外して、同種の胸当て部分と付け替え可能とすることで、種々にデザインを変更することができるが、主として成人女性が家事の際に着用するエプロンにおいて、デザインの変更による装飾的な効果を主眼とするものであり、成人女性等の本人が自発的に交換する態様のみを想定しており、幼児の保育士や高齢者の介護士等の負担軽減を企図したものではない。  
【０００５】
また、特許文献２記載のエプロンは、エプロン主体とタオル地からなり、ビニールからなる長めのエプロン主体の上縁部をヘアバンド形のホルダーに被着し、上縁部の直下に複数個のホック半体を等間隔に夫々取り付けると共に、上記ホック半体と係合するホック半体を取り付けたタオル地を、エプロン主体の前面に着脱自在に配置する構成を有するが、腰部にワンタッチで着脱でき、取り付けたままタオル地の交換ができる点や汚れが飛散してもズボンやスカートに直接付着しないため安心して調理等ができる点を重視したものであり、やはり成人女性等の本人が自発的に交換する態様のみを想定しており、幼児の保育士や高齢者の介護士等の負担軽減を企図したものではない。    
【０００６】
更に、特許文献３記載のエプロンは、前身頃が吸水速乾繊維素材に撥水加工、かつ後身頃が吸水速乾繊維素材に消臭加工が施されたメインエプロンと、前身頃の外面を被い、かつメインエプロンに着脱自在に装着されるサブエプロンとから成り、食事等に伴い発生する臭気を消臭すると共に飛散滴下する油脂分や汁液等の水分を確実に吸油吸水して着衣への臭気付着と汚損を防止できるが、レストラン等での汚れや臭気の防止を主眼とし、身に着ける客のファッション性も併せ考慮した発明であり、メインエプロンの素材から高価なものとならざるを得ず、そもそも幼児の保育士や高齢者の介護士等の負担軽減を企図したものではない。    
【０００７】
以上のように、従来の着脱や交換が容易なエプロン等は、身に着ける本人の便宜やファッション性の観点からその構成を考えたものが殆どである。このため、幼児・要介護者等に着せるのが容易である上に、食事等の際に汚れ易い部分を容易に交換することができるという、幼児・要介護者等と保育士・介護士等の両当事者の便宜を考慮したパターン洋服の開発が切望されている。    
【０００８】
本発明の目的は、上述した問題点を解消し、比較的簡単且つ安価な構成でありながら、幼児・要介護者等に着せるのが容易である上に、食事等の際に汚れ易い部分を着脱可能に容易に交換することができるパターン洋服を提供することにある。
【課題を解決するための手段】
【０００９】
本発明者は、新規且つ有用なパターン洋服の構成について鋭意研究を重ねた結果、首回りから腹部又は足首に亘る開口部を含む洋服本体と、前記洋服本体とは別体に形成され、前記開口部の少なくとも主要部分を覆う大きさの取替え部と、前記洋服本体の前記開口部の少なくとも主要部分を前記取替え部が覆うように留め付ける着脱手段とを有する構成とすることで、幼児・要介護者等に着せるのが容易である上に、食事等の際に汚れ易い部分を着脱可能に容易に交換することが可能なことを見出した。    
【００１０】
即ち、上記目的を達成するため、本発明のパターン洋服は、首回りから腹部又は足首に亘る開口部を含む洋服本体と、前記洋服本体とは別体に形成され、前記開口部の少なくとも主要部分を覆う大きさの取替え部と、前記洋服本体の前記開口部の少なくとも主要部分を前記取替え部が覆うように留め付ける着脱手段と、を有することを特徴とする。    
【００１１】
尚、前記取替え部が複数枚重ねて前記洋服本体に留め付けられ、一枚ずつ取り外し可能に構成されているようにしても良い。また、前記着脱手段は、前記洋服本体の前記開口部の周縁部に前記取替え部の裏面を留め付けるファスナー、ホック、ボタン、組み紐、マジックテープ（登録商標）、磁石、ミシン糸等からなる着脱具から選択される少なくとも１つであるのが好適である。更に、前記取替え部が折り畳み可能に構成されているようにしても良い。尚、着脱手段として磁石を用いる場合、例えば、磁石をテープ形状に構成して洋服本体の開口部の周縁部等や取替え部に配置する形態だけではなく、洋服本体の全部又は一部（前記開口部の周縁部のみ等）や取替え部の全部又は一部に、磁石を練りこむようにして、衣服（洋服）と磁石との融合を図るようにしても良い。具体的には、磁石又はその粉末を洋服本体や取替え部の全部又は一部の化学繊維に練り込むように構成することが考えられる。一方、前記折り畳み可能な取替え部を展開すると、形状・模様・色彩又はこれらの結合から成るデザインが表現されるようにしても良い。また、前記取替え部は、少なくとも３枚含まれ、該３枚はそれぞれ相異なる第１、第２及び第３の色に着色されており、当該パターン洋服の装着者の属性に応じて、前記第１、第２又は第３の色の取替え部が使い分けられるようにしても良い。
【発明の効果】
【００１２】
本発明によれば、比較的簡単且つ安価な構成でありながら、幼児・要介護者等に着せるのが容易である上に、食事等の際に汚れ易い部分を着脱可能に容易に交換することができるパターン洋服を提供することができる。
【図面の簡単な説明】
【００１３】
【図１】本発明の第１の実施形態に係るパターン洋服の構成を示す図であり、（ａ）は、その洋服本体と、洋服本体側の着脱手段を示す図、（ｂ）は、洋服本体に着脱手段を用いて取替え部を留め付ける態様を示す図である。
【図２】本発明の第２の実施形態に係るパターン洋服の構成を示す図であり、（ａ）は、その取替え部を複数枚（２枚）とした場合を側面側から見た図、（ｂ）は、取替え部を紙製とし、複数枚（１枚目と２枚目）の繋ぎをミシン糸とした場合を示す図である。
【図３】本発明の第３の実施形態に係るパターン洋服の構成を示す図であり、（ａ）は、その取替え部を折り畳んだ状態を示す図、（ｂ）は、その取替え部を展開した状態を示す図である。
【図４】本発明の第３の実施形態の変形例に係るパターン洋服の構成を示す図であり、その取替え部を内側に折り畳んだ状態を示す図である。
【図５】本発明の第４の実施形態に係るパターン洋服の構成の一例を示す図であり、（ａ）は、その展開の仕方を示す図、（ｂ）は、その展開によりツリー様のデザインが表現された状態を示す図である。
【図６】本発明の第５の実施形態に係るパターン洋服の構成を示す図であり、その取替え部がマフラー（ネックウォーム）により構成される形態を示す図である。
【図７】本発明の第６の実施形態に係るパターン洋服の構成を示す図であり、洋服本体がズボンにより構成される形態を示す図である。
【図８】本発明の第８の実施形態に係るパターン洋服の構成を示す図であり、洋服本体がジャケットタイプに構成される形態を示す図である。
【図９】本発明の第９の実施形態に係るパターン洋服の構成を示す図であり、洋服本体がつなぎタイプに構成される形態を示す図である。
【図１０】本発明の第１０の実施形態に係るパターン洋服の構成を示す図であり、その取替え部が靴下（レッグウォーム）により構成される形態を示す図である。
【図１１】本発明の第１１の実施形態に係るパターン洋服の構成を示す第１の図であり、その着脱手段がワンタッチロック機能を有する形態を示す図である。
【図１２】本発明の第１１の実施形態に係るパターン洋服の構成を示す第２の図であり、（ａ）は、ロックが解除された状態、（ｂ）は、ロックされた状態、をそれぞれ示す。
【図１３】本発明の第１１の実施形態の変形例に係るパターン洋服の構成を示す図であり、（ａ）は、ロックが解除された状態、（ｂ）は、ロックされた状態、をそれぞれ示す。
【図１４】本発明の第１２の実施形態に係るパターン洋服の構成を示す第１の図であり、その取替え部がフード様頭巾（帽子）により構成される形態を示す図である。
【図１５】本発明の第１２の実施形態に係るパターン洋服の構成を示す第２の図であり、その取替え部を構成するフード様頭巾（帽子）の変形例を示す図である。
【図１６】本発明の第１２の実施形態に係るパターン洋服の構成を示す第３の図であり、図１５に示した変形例のフード様頭巾（帽子）の展開状態を示す。
【図１７】本発明の第１３の実施形態に係るパターン洋服の構成を示す第１の図であり、脇から手首にかけての取替え部と腰から脇にかけての取替え部を含み、両取替え部がそれぞれ独立して構成され、（ａ）は、両取替え部を含むパターン洋服全体の正面側、（ｂ）は、両取替え部を含むパターン洋服全体の背面側、をそれぞれ示す。
【図１８】本発明の第１３の実施形態に係るパターン洋服の構成を示す第２の図であって、図１７に示した両取替え部を含むパターン洋服を他の角度から見た図であり、（ａ）は、そのパターン洋服の左半分の概略斜視図、（ｂ）は、そのパターン洋服の右半分の概略斜視図、をそれぞれ示す。
【図１９】本発明の第１３の実施形態に係るパターン洋服の構成を示す第３の図であり、脇から手首にかけての取替え部と腰から脇にかけての取替え部を拡大して示す図である。
【図２０】本発明の第１３の実施形態に係るパターン洋服の構成を示す第４の図であり、脇から手首にかけての取替え部を拡大して示す図である。
【図２１】本発明の第１３の実施形態の変形例に係るパターン洋服の構成を示す図であり、（ａ）は、脇の下だけの取替え部がポケット様に構成された形態、（ｂ）は、（ａ）の横から見た図である。
【発明を実施するための形態】
【００１４】
まず、図１を参照して、本発明の第１の実施形態に係るパターン洋服について説明する。図１は、本実施形態に係るパターン洋服の構成を示す図であり、（ａ）は、その洋服本体と、洋服本体側の着脱手段を示す図、（ｂ）は、洋服本体に着脱手段を用いて取替え部を留め付ける態様を示す図である。図１（ａ）（ｂ）に示すように、本実施形態に係るパターン洋服１０は、首回り１１から腹部１２に亘る開口部１３を含む洋服本体１０Ａと、洋服本体１０Ａとは別体に形成され、開口部１３の少なくとも主要部分を覆う大きさの取替え部１０Ｂと、洋服本体１０Ａの開口部１３の少なくとも主要部分を取替え部１０Ｂが覆うように留め付ける着脱手段１４とを有している。図１（ａ）は、取替え部１０Ｂが無い状態であり、着脱手段１４を面ファスナーとした場合、（ｂ）は、取替え部１０Ｂを付けた状態（取替え部１０Ｂが１枚の場合）である。ここで、着脱手段１４は、洋服本体１０Ａの開口部１３の周縁部に取替え部１０Ｂの裏面を留め付けるものであり、（面）ファスナー、ホック、ボタン、組み紐、マジックテープ（登録商標）、磁石、ミシン糸等からな
る着脱具から任意の１つ又は２つ以上の組み合わせを選択することができる。即ち、本実施形態では、面ファスナーを用いたが、例えば、幼児、高齢者の力では外れない程度の吸着力を持つ磁石（ソフトマグネット）等でも良いし、ボタンでも良い。尚、着脱手段１４として磁石を用いる場合、例えば、磁石をテープ形状に構成して洋服本体の開口部の周縁部等や取替え部に配置する形態だけではなく、洋服本体の全部又は一部（前記開口部の周縁部のみ等）や取替え部の全部又は一部に、磁石を練りこむようにして、衣服（洋服）と磁石との融合を図るようにしても良い。具体的には、磁石又はその粉末を洋服本体や取替え部の全部又は一部の化学繊維に練り込むように構成することが考えられる。以上の構成は、着脱手段として磁石を用いる以下の全ての実施形態においても、同様に採用可能であることは言うまでもない。  
【００１５】
図２は、本発明の第２の実施形態に係るパターン洋服の構成を示す図であり、（ａ）は、その取替え部を複数枚（２枚）とした場合を側面側から見た図、（ｂ）は、取替え部を紙製とし、複数枚（１枚目と２枚目）の繋ぎをミシン糸とした場合を示す図である。図２（ａ）（ｂ）に示すように、本実施形態に係るパターン洋服２０は、取替え部２０Ｂが複数枚重ねて洋服本体２０Ａに留め付けられ、一枚ずつ取り外し可能に構成されている。着脱手段１４を面ファスナーとしたのは、第１の実施形態と同様である。ここで、１枚目と２枚目の形状、寸法は任意に変更可能である。また、材質を紙として、使い捨てとして用いるようにしても良い。更に、図２（ｂ）に示すように、１枚目、２枚目の繋ぎをミシン糸としており、１枚目が汚れたら、ミシン糸により外し破棄するようにしても良い。尚、図２（ａ）（ｂ）では、取替え部２０Ｂが２枚重ねて洋服本体２０Ａに留め付けられているが、３枚以上を重ねて洋服本体２０Ａに留め付けるようにしても良い。  一方、複数枚、例えば、３枚重ねてあることで、１日の中で気分次第でおしゃれも楽しめるため、本実施形態のパターン洋服は、幼児・要介護者・入院患者等だけでなく、これら以外の普通の人にも利用してもらいやすい。即ち、保育士・介護士・看護師（看護助手）等に食事等の世話を受ける幼児・要介護者・入院患者等に装着させて、彼らを世話する者の負担軽減のためだけでなく、自立生活が可能な普通の人が装着し、例えば、１日の中で気分次第で取替え部を交換することで、おしゃれを楽しむようにしても良い。この点は、取替え部を交換できるという点で、本発明の全ての実施形態においても同様である。即ち、本発明のパターン洋服は、その洋服を着る（装着する）幼児・要介護者・入院患者等自身のおしゃれ（可愛く見せる）や彼らを保育・介護・看護等する者の負担軽減だけでなく、自立生活が可能な普通の人が装着した上で、その取替え部を交換することで、おしゃれを楽しむことができるものである。  尚、本実施形態では取替え部を紙製としたが、ビニール製や布製等他の材質としても良い。ビニール製であれば、取替え部としての交換容易性に加えて、防水性も得ることができる。尚、複数枚の取替え部において、紙製・ビニール製・布製等、複数種類の材質を混在させても良い。例えば、取替え部２０Ｂを紙を３枚重ねて用いる場合、３枚目になった時、汚れが下着や足元のズボンに染みる可能性もあるため、４枚目に撥水可能な布を用いると、汚れの防止になり易い。尚、４枚目を撥水可能な布にした場合、この４枚目を磁石により着脱可能としても良い。以下の全ての実施形態においても同様である。  
【００１６】
図３は、本発明の第３の実施形態に係るパターン洋服の構成を示す図であり、（ａ）は、その取替え部を折り畳んだ状態を示す図、（ｂ）は、その取替え部を展開した状態を示す図である。図３（ａ）（ｂ）に示すように、本実施形態に係るパターン洋服３０は、その取替え部３０Ｂが折りたたみできるのが特徴であり、その取替え部３０Ｂの下側半分近くが上側（内側）に折り畳んだ状態に収納されている。図３（ａ）に示すような内側に折り畳んだ状態に維持するには、上述した任意の着脱具を用いれば良い。そして、その取替え部３０Ｂの下側を上側（内側）に折り畳んだ状態を解除し、図３（ｂ）に示すように、その取替え部３０Ｂを展開した状態とすることができる。このような構成により、本実施形態に係るパターン洋服３０では、まず、図３（ａ）に示すような内側に折り畳んだ状態に維持しつつ使用し、食事等で表側Ｓ１が汚れたら、図３（ｂ）に示すように、その取替え部３０Ｂを展開した状態にすることで、新たに表れる上部の表側Ｓ２を胸かけとして使用することができる。また、図３（ｂ）に示すように、下側に新たに表れる下部の表側Ｓ３により膝下あたりまで覆うことができ、イスに座ってテーブル上の食事等をする場合でも、上部の表側Ｓ２と下部の表側Ｓ３が連続することにより、首の下から胸部を経て膝下までの全域を覆うことが可能となる。これにより幼児や痴呆症の老人等が食事等をする場合にも、本人の服や身体の汚れ、更には、イスや床の汚れを防止することができ、それらの洗濯や掃除の必要が無くなるので、保育者や介護者の負担を減らすことができる。  
【００１７】
図４は、本発明の第３の実施形態の変形例に係るパターン洋服の構成を示す図であり、その取替え部を内側に折り畳んだ状態を示す図である。図４に示すように、本実施形態に係るパターン洋服４０では、その取替え部４０Ｂが内側への折りたたみ方式に構成されており、その取替え部４０Ｂの下側が上側と本人の身体との間に折り畳んだ状態に収納されている。本実施形態では、パターン洋服４０を着た時に、図４に示すような状態で使用される表面Ｓ１、Ｓ２，Ｓ３が構成されることで、折り畳まれたＳ３部分を展開することにより、同様に、首の下から胸部を経て膝下までの全域を覆うことが可能となる。  
【００１８】
図５は、本発明の第４の実施形態に係るパターン洋服の構成の一例を示す図であり、（ａ）は、その展開の仕方を示す図、（ｂ）は、その展開によりツリー様のデザインが表現された状態を示す図である。図５（ａ）（ｂ）に示すように、本実施形態に係るパターン洋服５０は、その取替え部５０Ｂをデザイン化すると共に、折りたたみを解いてそのデザインを発現させるのが特徴であり、本例では、ツリー様のデザイン化がなされている。ここで、当初は、図５（ａ）に示すように、その取替え部５０Ｂの下側半分近くが上側（内側）に折り畳んだ状態に収納されている。図５（ａ）に示すような内側に折り畳んだ状態に維持するには、上述した任意の着脱具を用いれば良い。そして、その取替え部５０Ｂの下側を上側（内側）に折り畳んだ状態を解除し、図５（ｂ）に示すように、その取替え部５０Ｂを展開した状態とすることができ、図５（ｂ）に示すように、その展開によりツリー様のデザインＤが表現された状態が現れる。このように、本発明のパターン洋服により、幼児等の本人にとっての可愛らしさ・装飾性も出すことができ、折りたたみを外すと、木のデザインになるので、保育者や親にとっては、視覚を楽しむこともできる。以上のように、取替え部が折り畳み可能に構成されているのが好適であり、その折り畳み可能な取替え部を展開すると、形状・模様・色彩又はこれらの結合から成るデザインが表現されるようにすることができる。これにより、本人にとっての可愛らしさ・装飾性も出すことができ、折りたたみを外すと、木のデザインになるので、保育者や親にとっては、視覚を楽しむこともできる。また、図３乃至図５に関して上述した実施形態では、折り畳んだ部分を展開した場合、複数枚になっており、多少の厚みもあるため、膝掛けの替りにもなる。食事中の膝の冷えの防止にも繋がり、室内の温度を上げ過ぎることも減るため、電気代の節約になるだけでなく、環境にも優しくなる。  
【００１９】
図６は、本発明の第５の実施形態に係るパターン洋服の構成を示す図であり、その取替え部がマフラー（ネックウォーム）により構成される形態を示す図である。図６に示すように、本実施形態に係るパターン洋服６０は、その取替え部６０Ｂは、胸かけ等ではなく、マフラー（ネックウォーム）により構成されている。本実施形態に係るパターン洋服６０は、洋服本体６０Ａと、洋服本体６０Ａとは別体に形成され、首回り６１に相当する開口部６３の縁部に沿ってマフラー（ネックウォーム）様に立設される取替え部６０Ｂと、洋服本体６０Ａの首回り６１の縁部と取替え部６０Ｂの下部とを留め付ける着脱手段（図示せず）とを有している。首回り６１の縁部と取替え部６０Ｂの下部とを留め付ける着脱手段（図示せず）とは、首回り６１の縁部と取替え部６０Ｂの下部を留め付けるファスナー、ホック、ボタン、組み紐、マジックテープ（登録商標）、磁石、ミシン糸等からなる着脱具から任意の１つ又は２つ以上の組み合わせでも良い。本実施形態では、磁石（ソフトマグネット）を選択した。尚、図６に示すように、取替え部６０Ｂには、収納空間６６が形成されており、この収納空間６６に、例えば、保温材や保冷材を収納させることができる。このように、本実施形態に係るパターン洋服６０では、寒いときに、洋服本体６０Ａに取替え部６０Ｂを装着することで、取替え部６０Ｂをマフラー（ネックウォーム）として用いることができるので、防寒等の効果を得られる。尚、パターン洋服の一形態として、マフラーだけでなく、マスクの脱着可能式についても応用可能である。即ち、取替え部６０Ｂを、例えば、不織布等から成るマスクとして機能するものとし、鼻にフィットするノーズフィッター（軟金属製）や耳に掛けるゴム紐を含む構成とすることができる。このように構成すれば、取替え部６０Ｂを使い捨てのマスクとして使用することも可能なので、ウィルス性肺炎やインフルエンザの予防等に有効である。また、ベッドで横になった高齢者等の寒さを解消することで、寒がる本人のためだけにわざわざ介護室等の室内の温度を上げておく必要性が無くなる。このように、室内の温度が快適に保たれることは、働く介護士達等の労働環境の改善と健康維持につながる。また、暖房の利用を節減できることになるため、環境にも優しくなるだけでなく、介護施設の電気代等の節減にもなる。  
【００２０】
図７は、本発明の第６の実施形態に係るパターン洋服の構成を示す図であり、洋服本体がズボンにより構成される形態を示す図である。図７に示すように、本実施形態に係るパターン洋服７０は、ズボンにより構成される。即ち、本実施形態に係るパターン洋服７０は、ズボン本体７０Ａと、ズボン本体７０Ａとは別体に形成される複数種類の取替え部７０Ｂと、ズボン本体７０Ａと各取替え部７０Ｂとを留め付ける着脱手段７４とを有している。図７に示す例では、４つのパーツによりズボンが構成されている。ここで、着脱手段７４は、留め付け具として使用される一方、７６は、ゴムであり、装着者（ズボンをはく者）の体型にフィットしやすくするためのものである。  
【００２１】
また、図示しないが、本発明の第７の実施形態として、取替え部は、少なくとも３枚含まれ、該３枚はそれぞれ相異なる第１、第２及び第３の色に着色されており、当該パターン洋服の装着者の属性に応じて、前記第１、第２又は第３の色の取替え部が使い分けられるようにしても良い。即ち、１枚目→２枚目→３枚目を青→黄→赤というように異なる色彩で認識するように構成することもできる。このような実施形態は、特に介護服で、外国人の登用につき言語、漢字がわからないので、色別することで、その要介護度に応じた介護を実施し易くなるというメリットが得られる。但し、目の見えない人や弱視の人では、色を識別できない可能性が高いので、変形例として、触れて分かるものにより識別する方法でも良い。触ることで分かる数字、いろはの文字等が凸状になるようにパターン洋服の所定の箇所に形成し、或いは矩形状のワッペンを１個、２個、３個というようにパターン洋服の所定の箇所に貼り付ける等により、目の見えない人や弱視の人でもパターン洋服の装着者毎の属性を識別可能になる。更に、後述する第８の実施形態のように、袖の長短を可変に構成できるようにすることで、パターン洋
服の装着者毎の属性を識別するようにしても良い。  
【００２２】
図８は、本発明の第８の実施形態に係るパターン洋服の構成を示す図であり、洋服本体がジャケットタイプに構成される形態を示す図である。図８に示すように、本実施形態に係るパターン洋服８０は、ジャケットタイプにより構成される洋服本体８０Ａを有し、この洋服本体８０Ａは、首回りから腹部に亘る前側が全て（上から下まで）開襟したジャケット様に形成されている。また、首回りから腹部に亘る開襟部の縁部には、着脱手段８４として磁石が用いられている。この洋服本体８０Ａの開襟部には、着脱手段８４を介して洋服本体８０Ａとは別体に形成される一又は複数の取替え部（図示せず）がエプロン状に留め付けられるが、その大きさ・形状・デザイン等は問わない。また、本実施形態のパターン洋服８０では、洋服本体８０Ａの袖部が、複数の袖部着脱手段８４Ｃ１、８４Ｃ２、８４Ｃ３、８４Ｃ４を用いて、複数の袖部取替え部８０Ｂ１、８０Ｂ２、８０Ｂ３、８０Ｂ４を順次留め付けることで、袖の長さを可変に調整できるようになっている。従って、着用時の気候や気温等に応じて、袖無し、半袖、長袖等と袖の長さを変えることができる。即ち、袖部取替え部を全く使用しない洋服本体８０Ａのみで着用すればノースリーブ、袖部取替え部８０Ｂ１のみを留め付けて着用すれば半袖、袖部取替え部８０Ｂ１及び８０Ｂ２を留め付けて着用すれば５分袖、袖部取替え部８０Ｂ１、８０Ｂ２及び８０Ｂ３を留め付けて着用すれば７分袖、全ての袖部取替え部８０Ｂ１、８０Ｂ２、８０Ｂ３及び８０Ｂ４を留め付けて着用すれば長袖、のパターン洋服として、それぞれ用いることが可能である。尚、図８では、片側の袖のみについて複数の袖部着脱手段８４Ｃ１からＣ４と袖部取替え部８０Ｂ１からＢ４を図示したが、両側の袖が同様に構成されることは勿論である。ここで、磁石は、砂鉄のように形の変えられるものを用いるのが好適である。砂鉄は、服の縫い目に入れる前に、耐久性の高い細長の袋内に密封し、この細長の袋ごと服の縫い目に入れて接着等するのが好適である。これにより、洗濯をしても磁石（砂鉄）が漏出し、或いはパターン洋服の留め付け構造が破損しないようにすることができる。また、磁石の接着部分は、一般的な縫い目と同程度の薄さに形成するのが望ましい。これにより、装着者の着ごこちの良さを追求することも可能である。  
【００２３】
図９は、本発明の第９の実施形態に係るパターン洋服の構成を示す図であり、洋服本体がつなぎタイプに構成される形態を示す図である。図９に示すように、本実施形態に係るパターン洋服９０は、つなぎタイプにより構成される洋服本体９０Ａを有し、この洋服本体９０Ａは、首回りから肩、胸部、腹部までだけでなく腰から足首までのつなぎ服様に形成されている。即ち、本実施形態に係るパターン洋服９０は、首回りから足首に亘る開口部を含む洋服本体９０Ａと、洋服本体９０Ａとは別体に形成され、上記開口部の少なくとも主要部分を覆う大きさの取替え部（図示せず）と、洋服本体９０Ａの上記開口部の少なくとも主要部分を上記取替え部が覆うように留め付ける着脱手段９４とを有している。尚、変形例として、図９に破線で示すように、洋服本体をつなぎではなく、別体としての上着とズボンにより構成しても良い。ここで、つなぎ、上着、ズボンは、前側が全面で開口しており、つなぎの上半身又は上着では前側の両端部に、つなぎの下半身又はズボンでは前側の両端部と股下の内側に、着脱手段９４として、上記第８の実施形態と同様の磁石等が用いられている。この洋服本体９０Ａの開口部には、着脱手９４を介して洋服本体９０Ａとは別体に形成される一又は複数の取替え部（図示せず）がエプロン状又はズボン前側部として留め付けられるが、その大きさ・形状・デザイン等は問わない。従って、季節に合わせて形状・デザイン等を変えることでコーディネートを楽しみ、更には体調管理も可能になる。また、外出時の着替え等、荷物も少なくて済むという利点も得られる。また、繋ぎの服は着脱し難いため、下半身の前面側が着脱可能に構成した。乳幼児・介護者共に、オムツ交換が必要な時、保護者・保育士・介護士の負担を軽減することができる。一方、体重の増えた子どもをオムツ交換台へ乗せるのは親や保育士にとって負担が増えるという問題がある。図９のパターン洋服であればオムツ交換台を利用しなくて済むため、子どもの落下防止につながる。また、子どもが立ったまま服を着脱できるため、親、保育士、子どもにとってもオムツ交換の手間や負担が減るという利点がある。
【００２４】
図１０は、本発明の第１０の実施形態に係るパターン洋服の構成を示す図であり、その取替え部が靴下（レッグウォーム）により構成される形態を示す図である。図１０に示すように、本実施形態に係るパターン洋服１００は、つなぎタイプにより構成される洋服本体１００Ａを有し、その取替え部１００Ｂは、靴下部（レッグウォーム）により構成されている。本実施形態に係るパターン洋服１００は、洋服本体１００Ａと、洋服本体１００Ａとは別体に形成され、左右の裾１０１からそれぞれ靴下（レッグウォーム）様に延設される取替え部１００Ｂと、洋服本体１００Ａの裾１０１と取替え部１００Ｂの上縁部とを留め付ける靴下部着脱手段１０４とを有している。裾１０１と取替え部１００Ｂの上縁部とを留め付ける靴下部着脱手段１０４は、裾１０１と取替え部１００Ｂの上縁部とを留め付けるファスナー、ホック、ボタン、組み紐、マジックテープ（登録商標）、磁石、ミシン糸等からなる着脱具から任意の１つ又は２つ以上の組み合わせでも良いが、本実施形態では、磁石（ソフトマグネット）を選択した。このように、本実施形態に係るパターン洋服１００は、パンツ（ズボン）の裾と靴下の足首部分に磁石を用いて着脱できるものである。尚、図１０に示す例では、本発明の第９の実施形態に係るパターン洋服９０（図９参照）と同様のつなぎタイプの洋服本体を有し、且つ、その着脱手段９４を介して洋服本体１００Ａとは別体に形成される一又は複数の取替え部（図示せず）がエプロン状又はズボン前側部として留め付けられるのは、第９の実施形態と同様である。但し、このような着脱手段９４や別体のエプロン状又はズボン前側部としての取替え部を有さない、普通のつなぎ服に本実施形態を適用しても良い。即ち、普通のつなぎ服から成る洋服本体に、靴下（レッグウォーム）様に延設される取替え部１００Ｂが靴下部着脱手段１０４により留め付けられるようにしても良い。更に、つなぎ服ではないズボンのみに同様に適用しても良い。  
【００２５】
本実施形態に係るパターン洋服１００は、幼児（赤ちゃん）に着せるのに好適である。赤ちゃんは、体が小さいのに、大人と同じ数の汗腺がある。そのため、非常に汗をかき易く、あせもができ易い等、皮膚のトラブルにつながり易い。また、体温調整も上手くできないため、親（保護者）又は大人（保育士等）が気にかける必要がある。赤ちゃんは、足をバタバタさせることが多いため、気が付いたら脱げているということも多い。磁石により簡単に着脱できるようにすると、服同士が密着しているので、すぐに脱げてしまうことが無くなり、親（保護者）又は大人（保育士等）の手間や負担を減らすことができる。スムーズに着脱作業を行うことにより、赤ちゃんの体温調節の面でも速やかな対応が可能となる。  
【００２６】
また、本実施形態に係るパターン洋服１００は、ベッドで寝て過ごす高齢者等に着せるのにも適している。ベッドで寝ている高齢者や要介護者、入院患者等は、体を横にしている機会が多いため、寒さを感じ易い。心臓から離れた足元は、特に、寒さを感じ易い部位であるため、多くの介護施設等ではベッドで寝ている高齢者等の本人に靴下を履かせて寒さを解消することもある。しかしながら、横になっている間に脱げ易かったり、寝ている間に体温が上がり、すぐに脱ぎたいと本人が感じる場合もある。本実施形態に係るパターン洋服１００は、図１０に示すように、磁石を用いて靴下（レッグウォーム）様の取替え部１００Ｂを着脱し易いように構成されているので、横になっていても脱げにくいという利点がある上に、ベッドで横になった高齢者や要介護者、入院患者等が脱ぎたいという希望を介護士等に伝えた際に、すぐに脱がせることが可能なので、介護士等の負担を軽減することにつながる。また、ベッドで横になった高齢者等の寒さを解消することで、寒がる本人のためだけにわざわざ介護室等の室内の温度を上げておく必要性が無くなる。このように、室内の温度が快適に保たれることは、働く介護士達等の労働環境の改善と健康維持につながる。また、暖房の利用を節減できることになるため、環境にも優しくなるだけでなく、介護施設の電気代等の節減にもなる。
【００２７】
図１１は、本発明の第１１の実施形態に係るパターン洋服の構成を示す第１の図であり、その着脱手段がワンタッチロック機能を有する形態を示す図である。即ち、服を磁石で合わせるだけでは弱いことも考えられるので、本実施形態に係るパターン洋服１１０では、密着する４箇所１１１、１１２、１１３、１１４にスライド・ロック機能を設けた。本発明のパターン洋服を着る人には高齢者・乳幼児も含まれることから、すぐに脱げない工夫も必要な場合がある。そこで、本実施形態に係るパターン洋服１１０では、４箇所１１１、１１２、１１３、１１４それぞれの黒で示す部分にＮ極、白で示す部分にＳ極というように磁石を設け、磁石のＳ極とＮ極が吸着し合いワンタッチで着脱できるようにした。また、磁石のＳ極とＮ極が吸着し合いワンタッチで着脱できることを利用して、背中部分も２枚など、服を重ねて着るようにしても良い。このようにすれば、汗をかいてもその下に着ている１枚だけを着脱のみで簡単に脱ぐようにすることで、不快感を無くすことができる。また、２枚重ねて着ることで、乳幼児は抱っこされた時などに背中の寒さを軽減できる。このように、本実施形態に係るパターン洋服１１０では、磁石を利用してワンタッチで着脱できるので、自力でも着脱（着替え）が可能であり、着せる人、着せてもらう人双方のストレスの軽減・時間の短縮になる。例えば、ベッドで横になっている患者（要介護者）・赤ちゃん（乳幼児）は、寝たまま横向きになるだけでワンタッチで着脱して着替えが可能であり、着せる人、着せてもらう人の便宜であること大である。更に、汗をかいた１枚、汚した１枚のみワンタッチで脱げるので、洗い物が最小限で済む。また、各枚ごとの柄（デザイン）を変えるようにすれば、背中でもおしゃれを楽しめる。
【００２８】
図１２は、本発明の第１２の実施形態に係るパターン洋服の構成を示す図であり、（ａ）は、ロックが解除された状態、（ｂ）は、ロックされた状態、をそれぞれ示す。本実施形態に係るパターン洋服１２０では、図１２（ａ）に示すように、着るときは、例えば、１２１Ｍ部分を右にスライドさせると、Ｓ極部分とＮ極部分が合わさるので、図１２（ｂ）に示すように、ロックされる。一方、脱ぐ（脱がせる）時は、１２１Ｍ部分を左に半分スライドさせれば、Ｓ極部分とＳ極部分、Ｎ極部分とＮ極部分が合わさる状態となり、図１２（ａ）に示すように、反発の力でロックが解除されるようになる。パターン洋服１２０の右上の１箇所についてのみ図示及び説明したが、他の３箇所等も同様の構成としても良いのは勿論である。
【００２９】
図１３は、本発明の第１３の実施形態に係るパターン洋服の構成を示す図であり、（ａ）は、ロックが解除された状態、（ｂ）は、ロックされた状態、をそれぞれ示す。本実施形態に係るパターン洋服１３０では、１３１Ｍ部分が図示のような構成であり、図１３（ａ）に示すように、着るときは、例えば、１３１Ｍ部分を右にスライドさせると、Ｓ極部分とＮ極部分が合わさるので、図１３（ｂ）に示すように、ロックされる。一方、脱ぐ（脱がせる）時は、１３１Ｍ部分を左に半分スライドさせれば、Ｓ極部分とＳ極部分、Ｎ極部分とＮ極部分が合わさる状態となり、図１３（ａ）に示すように、反発の力でロックが解除されるようになる。パターン洋服１３０の右上の１箇所についてのみ図示及び説明したが、他の３箇所等も同様の構成としても良いのは勿論である。
【００３０】
図１４乃至図１６は、本発明の第１４の実施形態に係るパターン洋服の構成を示す第１乃至第３の図であり、その取替え部がフード様頭巾（帽子）により構成される形態を示す図である。即ち、本実施形態に係るパターン洋服（全体構成は図示せず）の取替え部（フード様頭巾（帽子））１４０は、地球温暖化による気温の上昇という深刻な悩みを解消すべく案出されたものであり、図１４及び図１５に示すように、頭上１４１、後頭部１４２、首部分１４３、１４４は、それぞれポケットになっている。これらのポケットに保冷材を入れることで、夏の暑さを解消し、熱中症の改善につなげることができる。また、フード様頭巾（帽子）１４０は、太陽の日差しを遮る役目も果たすため、皮膚を守る効果も得られる。一方、上述したポケットに寒い季節にはカイロを入れることで、寒さの防止にも役立つ。  
【００３１】
また、図１６に示すように、フード様頭巾（帽子）１４０は、フードを広げた場合、枕（水まくら）の代わりになる。熱で倒れた際にも、頭の保護になり、上述したポケットに保冷材を入れることで、冷やしたままで、要介護者は横になれる。熱で寝込んだ場合も、水まくらのズレ防止にも役立つ。  一方、図１４乃至図１６において、ライフジャケットのように、頭の部分にも空気を入れられるように工夫すれば、水の危険からも身を守ることにつながる。図１４乃至図１６においてフードの黒で縁取られた部分には、磁石を導入し、寒い季節にはファーを取り付ける等により、利用者が季節に合わせて快適に利用することもできる。尚、図１４において、１４０Ａの部分は、磁石のＳ極とＮ極の組合せになっており、フード様頭巾（帽子）１４０をワンタッチで付ける時のズレ防止に役立つ。
【００３２】
図１７乃至図２０は、本発明の第１５の実施形態に係るパターン洋服１５０の構成を示す第１乃至第４の図である。本実施形態に係るパターン洋服１５０では、脇から手首にかけての取替え部１６０と腰から脇にかけての取替え部１７０を含み、両取替え部１６０、１７０がそれぞれ独立して構成されている。本実施形態に係るパターン洋服１５０でも、図１７乃至図２０において、それぞれの黒で示す部分にＮ極、白で示す部分にＳ極というように磁石を設け、磁石のＳ極とＮ極が吸着し合いワンタッチで着脱できるようにしている。
【００３３】
図１７において、（ａ）は、両取替え部１６０、１７０を含むパターン洋服１５０全体の正面側、（ｂ）は、両取替え部１６０、１７０を含むパターン洋服１５０全体の背面側、をそれぞれ示す。図１８は、図１７に示した両取替え部１６０、１７０を含むパターン洋服１５０を他の角度から見た図であり、（ａ）は、そのパターン洋服１５０の左半分の概略斜視図、（ｂ）は、そのパターン洋服１５０の右半分の概略斜視図、をそれぞれ示す。図１９は、本実施形態に係るパターン洋服１５０において、脇から手首にかけての取替え部１６０と腰から脇にかけての取替え部１７０を拡大して示す図、図２０は、その脇から手首にかけての取替え部１６０を拡大して示す図である。
【００３４】
本実施形態に係るパターン洋服１５０の特徴は、まず、第１に、パターン洋服１５０の側面が取り外しできることである。ここで、取り外し可能にする理由は、（ａ）脇の汗をかいたときに、洋服自体を交換しないで、汗をかいた部分だけを簡単に交換できること。これにより、気になる汗染み、不快感から解放され易い。（ｂ）年齢や体型の変化（例えば、怪我等により要介護になった場合、ギブス等を付けた時等にも応用可能である）による腹部や腕廻りのパーツを交換することにより洋服を長く着続けることができ、また、好みの洋服であれば、手放さず、着る楽しみを継続できる。以上の理由から、下着としての利用も可能である。尚、脇から手首にかけての取替え部１６０と腰から脇にかけての取替え部１７０が、それぞれ独立して構成されているので、脇から手首にかけての取替え部１６０のみを独立して交換可能である。これにより、例えば、点滴を行う時、予定外の怪我やコルセットを巻く場合等に大変便利である。また、本人の洋服を新たに購入しなくてよいので、節約につながる。脇の下は汗をかき易い部位なので、汗をかいて不快な場合でも、パターン洋服１５０全体ではなく脇から手首にかけての取替え部１６０のみを独立して交換できるので、患者・要介護者と看護師・介護者双方の負担を減らすことができる。更に、脇から手首にかけては、手が届きにくいので、磁石にすることで服の着脱が楽になり、患者・要介護者と看護師・介護者双方の負担を減らすことができる。尚、熱を測るときなど、脇部分を少し外すだけで体温計を脇に当て易くなる。一方、腰から脇にかけての取替え部１７０のみを独立して交換することも可能である。これにより、例えば、怪我やコルセットを着用しなければならない時などの予定外の服装の変化が考えられる場合、腰から脇にかけて蛇腹を広げるとサイズ変更になる。従って、本人の洋服を新たに購入しなくてよいので、節約につながる。腰から脇にかけても、手が届きにくいので、磁石にすることで服の着脱が楽になり、患者・要介護者と看護師・介護者双方の負担を減らすことができる。以上のように脇から手首にかけての取替え部１６０と腰から脇にかけての取替え部１７０がそれぞれ独立して構成され、交換可能であれば、乳幼児や一般の人にも、非常に便利である。
【００３５】
また、図１７乃至図２０には示してないが、肩の部分はスリットにしても良い。パターン洋服１５０の肩や脇部分は、特に引きつり易いため、自由の部分があると、着用者は快適に居られると考えられるからである（スリットが無くても良い）。尚、洋服側面、着脱部分は、マジックテープ（登録商標）、ボタン、磁石、チャック等により着脱可能にすることができるのは勿論である。
【００３６】
また、腕周辺には個人差もあるため、サイズを変えられるように施すと、着用者は快適で居られると考えられる。下着として利用する場合は、着用者はなお着心地の良さを得られる。更に、着脱交換部分、特徴は、図示の通りである。また、腹部周辺にも個人差があるため、サイズを変えられるように施すと、着用者は快適で居られると考えられる。着脱部分はそのまま、他の部分をサイズ別とし幅を変えると、着用者の体型に合わせて長く着ることができる。尚、下着として利用する場合は、着用者はなお着心地の良さを得られる。
【００３７】
図２１は、本発明の第１６の実施形態に係るパターン洋服１８０の構成を示す図であり、本実施形態に係るパターン洋服１８０において、（ａ）は、脇の下だけの取替え部１８２Ｒ、１８２Ｌがポケット様に構成された形態、（ｂ）は、（ａ）を横から見た図、をそれぞれ示す。本実施形態に係るパターン洋服１８０では、左右・裏表関係なく着脱が可能であるため、どちらにも利用できるので、服の向き、右手側、左手側などの確認の必要が無いので、ストレス軽減につながる。また、図２１（ａ）に示すように、パターン洋服１８０がノースリーブタイプなので、手や腕に障害のある方でも簡単に着られる。脇の下だけの取替え部１８２Ｒ、１８２Ｌが存在するので、この取替え部１８２Ｒ、１８２Ｌを簡単に取り替えられることから、脇にかかる部分は交換することで、汗による汗染みの不快感を軽減できる。また、脇の下だけの取替え部１８２Ｒ、１８２Ｌがポケット様に構成されているので、これらのポケットに保冷材を入れることもできる。熱を出した時には、脇の下は冷やすと熱が下がり易く、要介護者にとっても気持ちが落ち着くし、介護する方にも負担軽減になる。
【産業上の利用可能性】
【００３８】
以上に述べた実施形態では、本発明を幼児や要介護者に食事等の世話をする場合の便宜を考えた保育や介護のためのパターン洋服に適用したが、本発明は、特許請求の範囲の記載の範囲内で、その他の用途或いは態様にも広く適用することができる。例えば、通常の成人が絵等を描く場合に絵の具・油等による汚れが付着した取替え部を交換する用途等に適用可能なのは勿論である。更に、パターン洋服を着用する主体も限定されず、例えば、犬等のペットのパターン洋服に適用を拡大することも考え得る。
【符号の説明】
【００３９】
１０、２０、３０、４０、５０、６０、７０、８０、９０、１００  パターン洋服、  １１、６１  首回り、  １２  腹部、  １３、６３  開口部、１０Ａ、２０Ａ、６０Ａ、８０Ａ、９０Ａ、１００Ａ  洋服本体、１０Ｂ、２０Ｂ、３０Ｂ、４０Ｂ、５０Ｂ、６０Ｂ、７０Ｂ、１００Ｂ  取替え部、１４、７４、８４、９４  着脱手段、６６  収納空間、７０Ａ  ズボン本体、７６  ゴム、  ８４Ｃ１、８４Ｃ２、８４Ｃ３、８４Ｃ４  袖部着脱手段、８０Ｂ１、８０Ｂ２、８０Ｂ３、８０Ｂ４  袖部取替え
部、１０１  裾、１０４  靴下部着脱手段
【図１】
2020186505.tif 000003
【図２】
2020186505.tif 000004
【図３】
2020186505.tif 000005
【図４】
2020186505.tif 000006
【図５】
2020186505.tif 000007
【図６】
2020186505.tif 000008
【図７】
2020186505.tif 000009
【図８】
2020186505.tif 000010
【図９】
2020186505.tif 000011
【図１０】
2020186505.tif 000012
【図１１】
2020186505.tif 000013
【図１２】
2020186505.tif 000014
【図１３】
2020186505.tif 000015
【図１４】
2020186505.tif 000016
【図１５】
2020186505.tif 000017
【図１６】
2020186505.tif 000018
【図１７】
2020186505.tif 000019
【図１８】
2020186505.tif 000020
【図１９】
2020186505.tif 000021
【図２０】
2020186505.tif 000022
【図２１】
2020186505.tif 000023
【手続補正書】
【提出日】令和2年9月11日(2020.9.11)
【手続補正１】
【補正対象書類名】特許請求の範囲
【補正対象項目名】全文
【補正方法】変更
【補正の内容】
【特許請求の範囲】
【請求項１】
首回りから腹部又は足首に亘る開口部を含む洋服本体と、前記洋服本体とは別体に形成され、前記開口部の少なくとも主要部分を覆う大きさの取替え部と、前記洋服本体の前記開口部の少なくとも主要部分を前記取替え部が覆うように留め付ける着脱手段とを有するパターン洋服において、
前記取替え部が複数枚重ねて前記洋服本体に留め付けられ、一枚ずつ取り外し可能に構成されていることを特徴とするパターン洋服。
【請求項２】
前記取替え部が折り畳み可能に構成されていることを特徴とする請求項１に記載のパターン洋服。
【請求項３】
前記折り畳み可能な取替え部を展開すると、形状・模様・色彩又はこれらの結合から成るデザインが表現されることを特徴とする請求項２に記載のパターン洋服。
【請求項４】
前記取替え部は、少なくとも３枚含まれ、該３枚はそれぞれ相異なる第１、第２及び第３の色に着色されており、当該パターン洋服の装着者の属性に応じて、前記第１、第２又は第３の色の取替え部が使い分けられることを特徴とする請求項１又は２に記載のパターン洋服。
【請求項５】
請求項１乃至４の何れか一項に記載のパターン洋服において、前記着脱手段がワンタッチロック機能を有することを特徴とするパターン洋服。
【手続補正２】
【補正対象書類名】明細書
【補正対象項目名】０００９
【補正方法】変更
【補正の内容】
【０００９】
本発明者は、新規且つ有用なパターン洋服の構成について鋭意研究を重ねた結果、首回りから腹部又は足首に亘る開口部を含む洋服本体と、前記洋服本体とは別体に形成され、前記開口部の少なくとも主要部分を覆う大きさの取替え部と、前記洋服本体の前記開口部の少なくとも主要部分を前記取替え部が覆うように留め付ける着脱手段とを有するパターン洋服において、前記取替え部が複数枚重ねて前記洋服本体に留め付けられ、一枚ずつ取り外し可能に構成されていることで、幼児・要介護者等に着せるのが容易である上に、食事等の際に汚れ易い部分を着脱可能に容易に交換することが可能なことを見出した。    
【手続補正３】
【補正対象書類名】明細書
【補正対象項目名】００１０
【補正方法】変更
【補正の内容】
【００１０】
即ち、上記目的を達成するため、本発明のパターン洋服は、首回りから腹部又は足首に亘る開口部を含む洋服本体と、前記洋服本体とは別体に形成され、前記開口部の少なくとも主要部分を覆う大きさの取替え部と、前記洋服本体の前記開口部の少なくとも主要部分を前記取替え部が覆うように留め付ける着脱手段とを有するパターン洋服において、前記取替え部が複数枚重ねて前記洋服本体に留め付けられ、一枚ずつ取り外し可能に構成されていることを特徴とする。    
【手続補正４】
【補正対象書類名】明細書
【補正対象項目名】００１１
【補正方法】変更
【補正の内容】
【００１１】
尚、前記取替え部が折り畳み可能に構成されているようにしても良い。尚、着脱手段として磁石を用いる場合、例えば、磁石をテープ形状に構成して洋服本体の開口部の周縁部等や取替え部に配置する形態だけではなく、洋服本体の全部又は一部（前記開口部の周縁部のみ等）や取替え部の全部又は一部に、磁石を練りこむようにして、衣服（洋服）と磁石との融合を図るようにしても良い。具体的には、磁石又はその粉末を洋服本体や取替え部の全部又は一部の化学繊維に練り込むように構成することが考えられる。一方、前記折り畳み可能な取替え部を展開すると、形状・模様・色彩又はこれらの結合から成るデザインが表現されるようにしても良い。また、前記取替え部は、少なくとも３枚含まれ、該３枚はそれぞれ相異なる第１、第２及び第３の色に着色されており、当該パターン洋服の装着者の属性に応じて、前記第１、第２又は第３の色の取替え部が使い分けられるようにしても良い。